(57)【要約】【課題】漏れが生じ難く、吸収体の吸収能力を有効に活用でき、かつ、陰嚢のかぶれが生じ難い吸収性物品を提供する。【解決手段】吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備えた吸収性物品１Ａである。少なくとも表面が撥水性材料からなり、吸収性物品１Ａの幅方向に延びるように配置され、その幅方向両側縁部がトップシート１８に対して接合された陰茎固定シート５０Ａを複数枚備え、複数枚の陰茎固定シート５０Ａが、吸収性物品１Ａの前後方向に向かって並列するように配置されている吸収性物品１Ａ。【選択図】図１Ａ
2010179028.tif 000002
【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、を備えた吸収性物品であって、
少なくとも表面が撥水性材料からなり、前記吸収性物品の幅方向に延びるように配置され、その幅方向両側縁部が前記トップシートに対して接合された陰茎固定シートを複数枚備え、
複数枚の前記陰茎固定シートが、前記吸収性物品の前後方向に向かって並列するように配置されている吸収性物品。
【請求項２】
前記陰茎固定シートの前端部が、隣接する一の陰茎固定シートの後端部と一部重畳するように配置されるとともに、前記陰茎固定シートの後端部が、隣接する他の陰茎固定シートの前端部と一部重畳するように配置される構造が繰り返されて、複数の前記陰茎固定シートが配置されている請求項１に記載の吸収性物品。
【請求項３】
前記陰茎固定シートの前端部が、隣接する一の陰茎固定シートの後端部の上側に位置するように配置されるとともに、前記陰茎固定シートの後端部が、隣接する他の陰茎固定シートの前端部の下側に位置するように配置される構造が繰り返されて、複数の前記陰茎固定シートが配置されている請求項２に記載の吸収性物品。
【請求項４】
前記陰茎固定シートの前端に沿って、伸張状態で固定された陰茎固定シート伸縮材が配置されている請求項１〜３のいずれか一項に記載の吸収性物品。
【請求項５】
前記吸収体が、その幅方向中央部における、前記陰茎固定シートの下部に位置する部分に、陰茎収容用凹部が形成されたものである請求項１〜４のいずれか一項に記載の吸収性物品。
【請求項６】
前記陰茎収容用凹部は、凹部前端の幅よりも凹部後端の幅の方が狭くなるように形成されている請求項５に記載の吸収性物品。
【請求項７】
前記吸収体が、その幅方向中央部における、前記陰茎固定シートの下部に位置する部分から、前記吸収体の後端に向かって、前記吸収体の他の部分に比して吸収性能が高い高吸収部が形成されたものである請求項１〜６のいずれか一項に記載の吸収性物品。
【発明の詳細な説明】
【技術分野】
【０００１】
本発明は、吸収体と、液透過性材料からなるトップシートと、液不透過性材料からなるバックシートと、を備えた吸収性物品に関するものである。詳しくは、着用者の陰茎を固定するための陰茎固定シートを更に備えた吸収性物品に関するものである。
【背景技術】
【０００２】
近年、おむつを交換する際の労力を軽減するため、使い捨ておむつと、尿パッド（「インナーパッド」、「補助パッド」等とも称される。）を併用することが行われている。尿パッドを併用することで、着用者が排泄した場合でも尿パッドのみを交換すれば足り、使い捨ておむつはそのまま使用することができる。このような方法は、排泄の度に使い捨ておむつ全体を交換する方法と比較すると交換が容易であるため、介護者の労力が軽減される。また、尿パッドは使い捨ておむつよりも安価であるため、排泄の度に使い捨ておむつ全体を交換する方法と比較してコスト的にも有利である。
【０００３】
通常、尿パッドは、使い捨ておむつのトップシート側の面に尿パッドを平敷きし、尿パッドが積層された状態の使い捨ておむつを着用者の肌に宛がう方法で使用される。これに対し、男性用に特化した尿パッドとして、陰茎を被包し、或いは陰茎を袋内に挿入するタイプの尿パッドも知られている。例えば、粘着部が形成されていて、陰茎を尿パッドでコーン状（サック状）に被包した状態で固定することができるタイプの尿パッド（例えば、特許文献１〜３参照）や、予め袋状に形成されていて、その袋内に陰茎を挿入し得るように構成された尿パッド（例えば、特許文献４参照）が知られている。
【先行技術文献】
【特許文献】
【０００４】
【特許文献１】特開平８−２８０７２７号公報
【特許文献２】特開２００１−１２９０１２号公報
【特許文献３】特開２００７−０６８６４２号公報
【特許文献４】特開平９−２９９３９２号公報
【発明の概要】
【発明が解決しようとする課題】
【０００５】
しかし、前記のような尿パッドは、その構造上、装着が面倒であり、また、一旦装着した後も尿パッドが陰茎から外れ易く、尿パッドを宛がった状態を維持できないため漏れを生じ易いという問題があった。特に、高齢者のように陰茎が萎縮した人に使用した場合には、尿パッドを陰茎に対して十分に固定することが困難で、陰茎から尿パッドが外れてしまうおそれが高いという点が問題であった。
【０００６】
前記の問題に対応するため、男性高齢者に対しては、女性と同様に、使い捨ておむつの内部に尿パッドを平敷きして使用する方法も行われている。しかし、このような使用方法では、使い捨ておむつ及び尿パッドを装着する際の陰茎の向きによって、尿パッドの前端部（腹側端部）や左右の側縁部から尿が漏れる場合があった。尿パッドの前端部や左右の側縁部から尿漏れが起きた場合、尿パッドは殆ど汚れておらず、また、吸収体の吸収能力に余力があるにも拘らず、漏れが発生するという不都合が生じる。更に、尿パッドを平敷きして使用すると、陰茎のみならず陰嚢も尿に曝されるため、陰嚢のかぶれが生じ易いという問題もあった。
【０００７】
そして、装着する際の陰茎の向きによって、おむつの前端部や左右の側縁部から尿が漏れるという問題、及び陰嚢のかぶれが生じ易いという問題は、尿パッドに限らず、使い捨ておむつにおいても生じ得る。
【０００８】
本発明は、このような従来技術の有する問題点に鑑みてなされたものであり、漏れが生じ難く、吸収体の吸収能力を有効に活用でき、かつ、陰嚢のかぶれが生じ難い吸収性物品を提供するものである。
【課題を解決するための手段】
【０００９】
本発明者は、前記従来技術の課題を解決するために鋭意検討した結果、撥水性材料等からなり、吸収性物品の幅方向に延びる陰茎固定用のシートを複数枚付設するとともに、それらのシートを吸収性物品の前後方向に向かって並列するように配置し、各シートの間の何処からでも陰茎を挿入し得る構造とすることで、上記課題が解決されることに想到し、本発明を完成させた。具体的には、本発明により、以下の吸収性物品が提供される。
【００１０】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートと、を備えた吸収性物品であって、少なくとも表面が撥水性材料からなり、前記吸収性物品の幅方向に延びるように配置され、その幅方向両側縁部が前記トップシートに対して接合された陰茎固定シートを複数枚備え、複数枚の前記陰茎固定シートが、前記吸収性物品の前後方向に向かって並列するように配置されている吸収性物品。
【００１１】
［２］  前記陰茎固定シートの前端部が、隣接する一の陰茎固定シートの後端部と一部重畳するように配置されるとともに、前記陰茎固定シートの後端部が、隣接する他の陰茎固定シートの前端部と一部重畳するように配置される構造が繰り返されて、複数の前記陰茎固定シートが配置されている前記［１］に記載の吸収性物品。
【００１２】
［３］  前記陰茎固定シートの前端部が、隣接する一の陰茎固定シートの後端部の上側に位置するように配置されるとともに、前記陰茎固定シートの後端部が、隣接する他の陰茎固定シートの前端部の下側に位置するように配置される構造が繰り返されて、複数の前記陰茎固定シートが配置されている前記［２］に記載の吸収性物品。
【００１３】
［４］  前記陰茎固定シートの前端に沿って、伸張状態で固定された陰茎固定シート伸縮材が配置されている前記［１］〜［３］のいずれかに記載の吸収性物品。
【００１４】
［５］  前記吸収体が、その幅方向中央部における、前記陰茎固定シートの下部に位置する部分に、陰茎収容用凹部が形成されたものである前記［１］〜［４］のいずれかに記載の吸収性物品。
【００１５】
［６］  前記陰茎収容用凹部は、凹部前端の幅よりも凹部後端の幅の方が狭くなるように形成されている前記［５］に記載の吸収性物品。
【００１６】
［７］  前記吸収体が、その幅方向中央部における、前記陰茎固定シートの下部に位置する部分から、前記吸収体の後端に向かって、前記吸収体の他の部分に比して吸収性能が高い高吸収部が形成されたものである前記［１］〜［６］のいずれかに記載の吸収性物品。
【発明の効果】
【００１７】
本発明の吸収性物品は、漏れが生じ難く、吸収体の吸収能力を有効に活用でき、かつ、陰嚢のかぶれが生じ難い。
【図面の簡単な説明】
【００１８】
【図１Ａ】本発明の吸収性物品の一の実施形態を示す概略平面図である。
【図１Ｂ】図１Ａに示す吸収性物品のＡ−Ａ’断面を模式的に示す概略断面図である。
【図１Ｃ】図１Ａに示す吸収性物品のＢ−Ｂ’断面を模式的に示す概略断面図である。
【図１Ｄ】図１Ａに示す吸収性物品の使用状態におけるＢ−Ｂ’断面を模式的に示す概略断面図である。
【図２Ａ】本発明の吸収性物品の別の実施形態を示す概略平面図である。
【図２Ｂ】図２Ａに示す吸収性物品のＡ−Ａ’断面を模式的に示す概略断面図である。
【図２Ｃ】図２Ａに示す吸収性物品のＢ−Ｂ’断面を模式的に示す概略断面図である。
【図２Ｄ】図２Ａに示す吸収性物品のＣ−Ｃ’断面を模式的に示す概略断面図である。
【図３Ａ】本発明の吸収性物品の更に別の実施形態を示す概略平面図であり、吸収性物品を展開し、トップシート側から見た状態を示す図である。
【図３Ｂ】図３Ａに示す吸収性物品のＸ−Ｘ’断面を示す概略断面図である。
【図３Ｃ】図３Ａに示す吸収性物品を正面側から見た状態を示す概略斜視図である。
【図３Ｄ】図３Ａに示す吸収性物品から吸収性本体を除去し、外装シートの部分のみを示す概略平面図である。
【図４】本発明の吸収性物品の更にまた別の実施形態を示す概略断面図であり、使用状態において幅方向中心線に沿って切断した断面を模式的に示す図である。
【図５】本発明の吸収性物品の別の実施形態を示す概略断面図であり、使用状態において幅方向中心線に沿って切断した断面の一部を拡大して模式的に示す図である。
【発明を実施するための形態】
【００１９】
以下、本発明の吸収性物品を実施するための形態について尿パッド及びパンツ型使い捨ておむつの例により具体的に説明する。但し、本発明はその発明特定事項を備える吸収性物品を広く包含するものであり、以下の実施形態に限定されるものではない。
【００２０】
［１］定義等：
「尿パッド」とは、図１Ａ〜図１Ｃに示す吸収性物品１Ａのように、吸収体２２と、吸収体２２の表面を被覆するように配置されたトップシート１８と、吸収体２２の裏面を被覆するように配置されたバックシート２０とを備えるが、使い捨ておむつとは異なり、着用者の腰周りを被包する部分を持たない吸収性物品を意味する。「尿パッド」はインナーパッド、補助パッドとも称され、下着の内面や使い捨ておむつのトップシートの表面に載置した状態で用いることが一般的である。
【００２１】
「パンツ型使い捨ておむつ」とは、図３Ａ及び図３Ｃに示す吸収性物品１Ｃのように、前身頃２と後身頃２の対応する側縁２ａ，２ｂ（６ａ，６ｂ）同士を接合することによって、一つのウエスト周り開口部１０及び一対の脚周り開口部１２（１２ａ，１２ｂ）が形成され、予めパンツ型に構成された使い捨ておむつを意味する。
【００２２】
そして、図３Ａ〜図３Ｄに示す吸収性物品１Ｃのように、トップシート１８とバックシート２０との層間に吸収体２２が内包され、パッド状に形成された吸収性本体１４と、一つのウエスト周り開口部１０及び一対の脚周り開口部１２が形成されたパンツ型を呈する外装シート１６とを備え、外装シート１６の内側に吸収性本体１４が配置・固定された「２ピースタイプ」のものがよく用いられる。
【００２３】
本明細書においては、図１Ａで示すように、吸収性物品１Ａのうち着用者の腹側に宛がわれる部分を「前身頃（図中、符号２）」、着用者の股下に宛がわれる部分を「股下部（図中、符号４）」、着用者の背側（尻側）に宛がわれる部分を「後身頃（図中、符号６）」と称する。
【００２４】
また、本明細書において、陰茎固定シートに関し「長さ」というときは、図１Ａにより説明すると、シート形状に拘らず、陰茎固定シート５０Ａが吸収性物品１Ａに接合された状態における吸収性物品１Ａの前端Ｅ１側の端部から吸収性物品１Ａの後端Ｅ２側の端部までの長さ（前後方向の長さ）を意味する。また、同様に、陰茎固定シートに関し、「幅」というときは、シート形状に拘らず、陰茎固定シート５０Ａが吸収性物品１Ａに接合された状態における吸収性物品１Ａの一の側縁Ｅ３から吸収性物品１Ａの他の側縁Ｅ４までの長さ（左右方向の長さ）を意味するものとする。
【００２５】
［２］本発明の吸収性物品の構成：
本発明の吸収性物品は、図１Ａ〜図１Ｄに示す吸収性物品１Ａのように、少なくとも表面が撥水性材料からなり、吸収性物品１Ａの幅方向に延びるように配置され、その幅方向両側縁部がトップシート１８に対して接合された陰茎固定シート５０Ａを複数枚備え、複数枚の陰茎固定シート５０Ａが、吸収性物品１Ａの前後方向に向かって並列するように配置されているものである。
【００２６】
図１Ｄに示すように、陰茎固定シート５０Ａを備えていると、吸収性物品１Ａを装着する際に、陰茎Ｐの向きを吸収性物品１Ａの後端Ｅ２側（股下側、背側）に向かうように固定することができる。従って、陰茎Ｐが吸収性物品１Ａの前端Ｅ１側や側縁Ｅ３，Ｅ４側を向き難く、前端Ｅ１や側縁Ｅ３，Ｅ４からの尿漏れを有効に防止することができる。そして、陰茎Ｐの向きに従って、尿Ｕが吸収性物品１Ａの後端Ｅ２側（股下側、背側）に向かって流れるので、吸収性物品１Ａの股下部４及び後身頃６に配置された吸収体２２の吸収能力も十分に発揮させることができる。
【００２７】
また、図１Ｄに示すように、陰茎固定シート５０Ａを複数枚備え、その複数枚の陰茎固定シート５０Ａが吸収性物品１Ａの前後方向に向かって並列するように配置されていると、各々の陰茎固定シート５０Ａの間の何処からでも陰茎Ｐを挿入することができる。この構造により、着用者の体格・体型に適した陰茎挿入位置を選択することが可能となる。従って、陰茎固定シート５０Ａから陰茎Ｐが外れ難くなり、吸収性物品１Ａの前端Ｅ１や側縁Ｅ３，Ｅ４からの尿漏れを有効に防止することができる。この構造は、予めウエスト周り開口部や脚周り開口部によって装着位置が決まっており、尿パッドのように装着位置を前後にずらすことが困難なテープ型使い捨ておむつ、パンツ型使い捨ておむつに適用すると特に有効である。
【００２８】
更に、陰茎固定シート５０Ａによって形成される陰茎挿入部５４Ａに陰茎Ｐを挿入すると、陰嚢Ｓは陰茎固定シート５０Ａの表面に当接する形となり、トップシート１８から離隔される。また、陰茎固定シート５０Ａの少なくとも表面（図示の例では陰茎固定シート５０Ａ全体）が撥水性シートから構成されていると、トップシート１８に付着する尿Ｕが陰茎固定シート５０Ａから染み出してくることを抑制することができる。従って、尿Ｕが陰嚢Ｓに直接接触し難く、陰嚢Ｓのかぶれを有効に防止することができる。
【００２９】
なお、本発明の吸収性物品を吸収性物品１Ａのような平敷きタイプの尿パッドに適用すると、陰茎を被包するタイプの尿パッドや袋内に陰茎を挿入するタイプの尿パッドと比べて尿パッドの装着が容易であり、また、尿パッドの外れが生じ難い。従って、尿パッドを宛がった状態を維持し易く、漏れを有効に防止することができる。
【００３０】
［２−１］陰茎固定シート：
本発明の吸収性物品は、図１Ａ〜図１Ｄに示す吸収性物品１Ａのように、陰茎固定シート５０Ａを備えている。この陰茎固定シート５０Ａによって、陰茎Ｐは吸収性物品１Ａの股下側（ないしは背側）に向かうように固定される。
【００３１】
陰茎固定シート５０Ａは、吸収性物品１Ａの前端Ｅ１側に、吸収性物品１Ａの幅方向に延びるように配置される。「吸収性物品の前端側」とは、吸収性物品１Ａをその長手方向中心線で２分割した場合に、前端Ｅ１側の領域に陰茎固定シート５０Ａが配置されていることを意味する。陰茎固定シート５０Ａを吸収性物品１Ａの前端Ｅ１側に配置するのは、陰茎固定シート５０Ａによって形成される陰茎挿入部５４Ａに対して、吸収性物品１Ａの前端Ｅ１側から陰茎Ｐを挿入する構造とするためである。
【００３２】
また、「吸収性物品の幅方向」とは、吸収性物品１Ａの前後方向と直交する方向を意味する。通常、吸収性物品は、前後方向に長い形状に構成されるから、その長手方向が前後方向、短手方向が幅方向（左右方向）となる。陰茎固定シート５０Ａを吸収性物品１Ａの幅方向に延びるように配置することで、陰茎Ｐが吸収性物品１Ａの後端Ｅ２側（股下側、背側）に向くように固定することができる。なお、陰茎固定シート５０Ａは、通常、吸収性物品１Ａの幅方向中央部に配置される。そして、固定された陰茎Ｐから排泄される尿Ｕを十分に吸収させるという観点から、吸収性物品１Ａの吸収体２２配置部位の上部に配置することが好ましい。
【００３３】
本発明の吸収性物品は、図１Ａ、図１Ｃ及び図１Ｄに示す吸収性物品１Ａのように、陰茎固定シート５０Ａを複数枚備え、その複数枚の陰茎固定シート５０Ａが、吸収性物品１Ａの前後方向に向かって並列するように配置されている。陰茎固定シート５０Ａの枚数はその形状やサイズによっても異なるが、３〜１０枚とすることが好ましい。３枚未満であると、複数箇所から陰茎を挿入することができるという効果が不十分となる場合がある。１０枚を超えると、陰茎をより適切な位置から挿入し得る点では好ましいものの、構造が複雑になるため製造工程が煩雑になるおそれがある。
【００３４】
本発明の吸収性物品においては、前記条件を満たす限り、複数の陰茎固定シートの配置形態について特に制限はない。例えば、複数の陰茎固定シートを、陰茎固定シート同士が重畳しないように間隔（隙間）を空けて配置してもよい。しかし、各々の陰茎固定シートの間に隙間が存する場合、陰茎を挿入し易くなる利点はあるものの、前記隙間から尿が漏れ出して陰茎固定シートの表面を濡らしてしまうおそれもある。万が一、陰嚢に尿が付着した場合、陰嚢のかぶれを有効に防止することができなくなるため好ましくない。
【００３５】
従って、本発明の吸収性物品は、図１Ａ、図１Ｃ及び図１Ｄに示す吸収性物品１Ａのように、陰茎固定シート５０Ａの前端部が、隣接する一の陰茎固定シート５０Ａの後端部と一部重畳するように配置されるとともに、陰茎固定シート５０Ａの後端部が、隣接する他の陰茎固定シート５０Ａの前端部と一部重畳するように配置される構造が繰り返されて、複数の陰茎固定シート５０Ａが配置されていることが好ましい。
【００３６】
このように、複数の陰茎固定シート５０Ａを前後に配置される陰茎固定シート５０Ａと一部を重畳させながら配置することで、各々の陰茎固定シート５０Ａの間の隙間がなくなるため、尿の漏れ出しを有効に防止することができる。ひいては、陰茎固定シートの表面が尿で濡れ難くなり、陰嚢のかぶれを有効に防止することができる。
【００３７】
隣接する陰茎固定シート５０Ａとの重畳部分の長さ（前後方向の長さ）は、５〜５０ｍｍとすることが好ましい。５ｍｍ未満とすると、陰茎固定シート５０Ａ同士を重畳させた効果が得られ難い。一方、５０ｍｍを超えると、陰茎固定シート５０Ａ同士の重畳部分が長くなり過ぎて、陰茎固定シート５０Ａが吸収体２２の表面を大きく覆ってしまう。従って、吸収体表面からの尿吸収が阻害され、吸収性物品の吸収性能を十分に活用することができなくなるおそれがある。
【００３８】
前記のように、複数の陰茎固定シートを前後に配置される陰茎固定シートと一部を重畳させながら配置する場合、陰茎固定シートを重畳させる形態について特に制限はない。例えば、図４に示す吸収性物品１Ｄのように、陰茎固定シート５０Ｄの前端部が、隣接する一の陰茎固定シート５０Ｄの後端部の下側に位置するように配置されるとともに、陰茎固定シート５０Ｄの後端部が、隣接する他の陰茎固定シート５０Ｄの前端部の上側に位置するように配置される構造が繰り返されて、複数の陰茎固定シート５０Ｄが配置されている形態を挙げることができる。
【００３９】
しかし、図４に示す形態の場合、重畳された２枚の陰茎固定シート５０Ｄの層間隙間が尿Ｕの流れ方向に向かって開口しているため、尿勢によっては陰茎固定シート５０Ｄの表面を伝って尿Ｕが漏れ出すことも考えられる。従って、本発明の吸収性物品は、図１Ａ、図１Ｃ及び図１Ｄに示すように、陰茎固定シート５０Ａの前端部が、隣接する一の陰茎固定シート５０Ａの後端部の上側に位置するように配置されるとともに、陰茎固定シート５０Ａの後端部が、隣接する他の陰茎固定シート５０Ａの前端部の下側に位置するように配置される構造が繰り返されて、複数の陰茎固定シート５０Ａが配置されていることが好ましい。
【００４０】
図４に示す形態とは異なり、図１Ｄに示す構造では重畳された２枚の陰茎固定シート５０Ａの層間隙間が尿Ｕの流れ方向とは反対側に向かって開口している。この構造では、図１Ｄに示すように、尿Ｕが多量かつ勢いよく排泄されても尿Ｕは各々の陰茎固定シート５０Ａの裏面を伝ってトップシート１８の表面に流れ落ち、重畳された２枚の陰茎固定シート５０Ａの層間隙間から尿Ｕが漏れ出すことを有効に防止することができる。また、陰茎挿入部５４Ａが下向きに開口するように形成されるので、陰茎Ｐを陰茎挿入部５４Ａに挿入し易いという利点もある。
【００４１】
陰茎固定シートの形状は特に限定されず、前後方向の長さに比して幅が大であるもの、前後方向の長さに比して幅が小であるもののいずれでもよい。例えば、図１Ａに示す陰茎固定シート５０Ａは、前後方向の長さに比して幅が大である矩形状（短冊状）のシートを用いた例である。
【００４２】
陰茎固定シートの幅は６０ｍｍ以上であって、吸収性物品の幅以下とすることが好ましい。６０ｍｍ未満とすると、陰茎挿入部の幅も狭くならざるを得ず、陰茎を挿入し難くなる。また、陰茎挿入部の幅が狭くなると、吸収性物品の装着位置が若干左右にずれただけでも陰茎をうまく挿入できなくなる場合がある。即ち、吸収性物品の左右の位置ずれに対する許容幅が狭くなり使い勝手が悪くなるおそれがある。一方、陰茎固定シートの長さは、１０〜１００ｍｍとすることが好ましい。１０ｍｍ未満とすると、隣接する陰茎固定シート５０Ａに対して十分に重畳させた配置とすることが困難となり、陰茎固定シート同士を重畳させた効果が得られ難くなる。１００ｍｍを超えると、着用者の体格・体型に適した陰茎挿入位置を選択することができるという効果が減殺されるおそれがある。
【００４３】
なお、複数枚の陰茎固定シートを配置した際にその最前端から最後端間での長さを１００ｍｍ以上に構成すると、陰茎固定シートによって陰嚢、その他の着用者の肌が覆われる面積が増加する。従って、陰嚢等がトップシートの表面に接触し難くなり、かぶれ等のスキントラブルをより効果的に防止することができるというメリットがある。しかし、複数の陰茎固定シート全体としてあまりに長く配置しても前記効果の増大を期待できず、却って陰茎固定シートによって股下部の着用感が悪化する場合があるため、陰茎固定シートが吸収性物品の長手方向中心を超える部分には存しないように配置することが好ましい。
【００４４】
但し、陰茎固定シートの形状は、前記のような矩形状に限定されるものではない。例えば、図２Ａに示す陰茎固定シート５０Ｂのように、陰茎固定シート５０Ｂの後端における幅方向中央部が、陰茎固定シート５０Ｂの前端側に向かって円弧状に切り欠かれた形状となっており、幅方向中央部の長さよりも、幅方向両側縁部の長さの方が長くなるように形成されているものも好ましい。
【００４５】
陰茎固定シート５０Ｂのように、幅方向中央部を幅方向両側縁部よりも凹んでいるように形成することによって、陰茎固定シートを単純な矩形状に形成した場合と比較して陰茎挿入部５４Ｂに陰茎を挿入し易くなり、フィットもしやすくなる。また、陰茎固定シート５０Ｂのように、幅方向両側縁側を長く構成することで、陰茎の先端部が吸収性物品１Ｂの左右側を向いてしまった場合でも左右の側縁Ｅ３，Ｅ４からの横漏れを有効に防止することができる。更にまた、陰茎固定シートの両側縁側においては他の陰茎固定シートと十分に重畳させることができる。従って、着用時のように吸収性物品を湾曲形状とした場合でも重畳させた陰茎固定シート同士が離間して重畳部が大きく開口してしまうことが少ない。
【００４６】
この際、陰茎固定シートの幅方向中央部は幅方向両側縁部よりも２０〜５０ｍｍ凹んでいることが好ましい。２０ｍｍ未満とすると、凹みが小さ過ぎて陰茎挿入部に陰茎を挿入し易くなる等の効果が得られ難くなる。一方、５０ｍｍを超えると、陰茎固定シートが中央部に比して両側縁部が極端に長い形状となり易い。このような形状の陰茎固定シートを複数枚重畳させると、両側縁部における陰茎固定シートの重畳枚数が必要以上に多くなってしまうことが多い。従って、陰茎固定シートの両側縁部における触感が硬くなり、着用感を低下させるおそれがある。
【００４７】
陰茎固定シートを構成する材料は特に限定されないが、少なくとも表面については撥水性材料によって構成する。例えば、撥水性の不織布シートを用いることが好ましい。前記構成により、トップシートに付着した尿が陰茎固定シートを透過して陰嚢に達することが少なくなり、陰嚢のかぶれをより効果的に防止することができる。
【００４８】
撥水性の不織布シートとしては、後述する立体ギャザーと同様の素材を用いることができる。また、本発明の吸収性物品は、陰茎固定シートの少なくとも表面が撥水性材料で構成されていればよいため、陰茎固定シートの表面（着用者の陰嚢が当たる面）を撥水性シートにより構成するとともに、前記撥水性シートの裏面（トップシートと対向する側の面）に、吸収性をもたせた形態も好ましい。例えば、１）陰茎固定シートを構成する撥水性シートの裏面に吸収体が内張りされた形態、２）陰茎固定シートを構成する撥水性シートの裏面に吸収体が内張りされ、更に、前記吸収体の裏面に、トップシート同様の液透過性（即ち親水性）不織布シートが内張りされた形態等を挙げることができる。これらの形態で用いる吸収体はパルプ（フラッフパルプ等）とＳＡＰからなるものであってもよいし、ティシュや吸収紙のみからなる簡易的な吸収体であってもよい。
【００４９】
なお、陰茎固定シートには、陰茎の固定力を向上させるため、伸縮材を付設してもよい。このような構成では、陰茎固定シートの幅方向に向かって伸張状態の伸縮材を付設することにより、陰茎の固定力を向上させることができる。この形態は、後述する立体ギャザーに準じて構成することができる。
【００５０】
陰茎固定シートに伸縮材を付設する場合、伸縮材の配置位置は特に限定されない。例えば、陰茎固定シートの後端に沿って、或いは陰茎固定シートの前端と後端の間に配置する形態を挙げることができる。また、これらの位置の各々に伸縮材を配置し、全体として複数本の伸縮材が配置されるように構成してもよい。
【００５１】
但し、本発明の吸収性物品においては、図５に示す吸収性物品１Ｅのように、陰茎固定シート５０Ｅの前端に沿って、伸張状態で固定された陰茎固定シート伸縮材６６が配置されていることが好ましい。このような形態は、陰茎固定シートが挿入する陰茎の形状に追従するように変形し易い。また、２枚の陰茎固定シートを重畳的に配置した場合でも、層間隙間が形成され難く前記層間隙間からの漏れを有効に防止することができる。
【００５２】
なお、「陰茎固定シートの前端に沿って」とは、陰茎固定シート伸縮材６６が陰茎固定シート５０Ｅの前端と概ね平行するように配置され、かつ、陰茎固定シートを長手方向中心線で２分割した場合に、少なくとも陰茎固定シート前端側の領域に陰茎固定シート伸縮材が配置されていることを意味する。より具体的には、陰茎固定シートの前端から０〜１０ｍｍの範囲内に配置されていることが好ましい。
【００５３】
陰茎固定シートの前端に沿って陰茎固定シート伸縮材を配置し、更に陰茎固定シートの後端に沿って陰茎固定シート伸縮材を配置する形態も考えられる。このような形態は陰茎固定シートを陰茎にフィットさせ易いという利点がある。しかし、伸縮材の伸張率等によっては、１）陰茎を陰茎挿入部に挿入する際の抵抗が大きくなる、２）吸収性物品を装着中に陰茎を必要以上に圧迫するおそれがある、３）尿は下側に向かって流れるので、陰茎固定シートの後端側に伸縮材を配置しても漏れ防止効果が小さい等の理由から、陰茎固定シートの前端のみに沿って陰茎固定シート伸縮材を配置することが好ましい。
【００５４】
陰茎固定シート伸縮材の配置方法、固定方法については、立体ギャザー伸縮材、脚周り伸縮材等を配置・固定する方法を採用することができる。図５に示す吸収性物品１Ｅは、陰茎固定シート５０Ｅの前端側を一部折り返し、その折り返し部分の層間に陰茎固定シート伸縮材６６を挟み込んで接着剤により固定した例である。
【００５５】
［２−２］接合部：
本発明の吸収性物品は、図１Ａ及び図１Ｂに示す吸収性物品１Ａのように、陰茎固定シート５０Ａの幅方向両側縁部がトップシート１８に対して接合されている。より具体的には、陰茎固定シート５０Ａの一の側縁部を接合する第１接合部５２Ａと、陰茎固定シート５０Ａの他の側縁部を接合する第２接合部５２Ｂとが形成されている。
【００５６】
陰茎固定シート５０Ａの両側縁部（即ち、２箇所）をトップシート１８に対して接合することで、陰茎固定シート５０Ａとトップシート１８によって区画された陰茎挿入部５４Ａが形成される。「接合部」は、ホットメルト接着剤等の接着剤を用いた接着、加熱による熱接合（ヒートシール等）、超音波融着等により形成することができる。
【００５７】
「陰茎固定シートの両側縁部」とは、陰茎固定シートの最も長い部分を基準（全幅）として、各々の縁部から４０％長さまでの部分を意味するものとする。本発明においては、陰茎固定シート５０Ａが容易に剥離しない限りにおいて、陰茎固定シート５０Ａの両側縁部の全領域がトップシート１８の表面に接合されている必要はなく、陰茎固定シート５０Ａの両側縁部のうち少なくとも一部の領域がトップシート１８の表面に接合されていればよい。但し、確実な接合を確保するためには、図１Ａに示す吸収性物品１Ａのように、陰茎固定シート５０Ａの前端から後端に至るまで連続的に第１接合部５２Ａ、第２接合部５２Ｂが形成されていることが好ましい。
【００５８】
陰茎固定シートとトップシートとの確実な接合を図る上では、第１接合部及び第２接合部を連続する面状に形成する形態が好ましい。但し、本発明の吸収性物品は、図２Ａ〜図２Ｃに示す吸収性物品１Ｂのように、第１接合部５２Ｃ及び第２接合部５２Ｄが、陰茎固定シート５０Ｂの前後方向に延びるように配置された、複数本の線状接合部５６ａ，５８ａ，６０ａ，６２ａ，５６ｂ，５８ｂ，６０ｂ，６２ｂから形成されていてもよい。このように、接合部を複数本の線状接合部の集合として構成する形態は、接合部全体を面状に構成する形態と比較して、吸収性物品を連続生産する際に高速生産が行い易く、また、接合に用いる接着剤の量も少なくすることができるため、コスト的に有利である点において好ましい。
【００５９】
図２Ａ〜図２Ｃに示す形態においては、複数本の線状接合部５６ａ，５８ａ，６０ａ，６２ａ，５６ｂ，５８ｂ，６０ｂ，６２ｂが、陰茎固定シート５０Ｂの幅方向中央側に配置されたもの（線状接合部５６ａ，５８ａ，５６ｂ，５８ｂ）の長さよりも、陰茎固定シート５０Ｂの側縁側に配置されたもの（線状接合部６０ａ，６２ａ，６０ｂ，６２ｂ）の長さの方が長くなるように配置されていることが好ましい。
【００６０】
前記のような形態は、線状接合部の長さを全て等しい長さに形成したものと比較して、陰茎挿入部の幅が陰茎固定シートの前端側（腹側）から後端側（股下側及び背側）に向かうにつれて狭くなる。従って、排泄された尿が吸収性物品の幅方向中央部に向かって収束され易い。また、陰茎固定シートの両側縁側の線状接合部が長いため、尿パッドの左右両側縁からの横漏れを有効に防止することができる点において好ましい。なお、図２Ａに示す吸収性物品１Ｂにおいては、線状接合部６０ａ，６２ａ，６０ｂ，６２ｂの長さを等しく形成しているが、このような形態には限定されない。例えば、線状接合部６０ａ，６０ｂの長さを、線状接合部５８ａ，５８ｂと線状接合部６２ａ，６２ｂの中間の長さとし、陰茎固定シート５０Ｂの幅方向中央側から側縁側に向かうにつれて、徐々に線状接合部の長さが長くなるように構成してもよい。
【００６１】
線状接合部の幅は１〜２０ｍｍとすることが好ましい。１ｍｍ未満とすると、接合強度が低くなり、トップシートから陰茎固定シートが外れてしまうおそれがある。２０ｍｍを超えると、配置可能な線状接合部の本数が少なくなるため、線状接合部の本数が多い場合と比較して各線状接合部の長さを徐々に変化させることが難しくなる。即ち、複数の線状接合部が陰茎固定シートの幅方向側縁側から中央側に向かって急速に短くなっていく形態を採用せざるを得ず、吸収性物品の幅方向中央部に尿をスムーズに収束させることが困難となる。
【００６２】
線状接合部を幅１〜２０ｍｍで形成した場合、複数の線状接合部を配置する間隔は、１〜２０ｍｍとすることが好ましい。１ｍｍ未満とすると、線状接合部同士の間隔が狭過ぎて連続的な面状に塗布したものと大差がなくなるため、吸収性物品を連続生産する際に高速生産を行い難くなり、接合に用いる接着剤の量も効果的に減らすことができず、生産コスト面でのメリットを得難くなる。２０ｍｍを超えると、線状接合部同士の間隔が広すぎるために、吸収性物品の幅方向中央部に排泄した尿をうまく収束させることができない場合がある。
【００６３】
本発明の吸収性物品は、図２Ａ〜図２Ｃに示す吸収性物品１Ｂのように、第１接合部５２Ｃと第２接合部５２Ｄとの間に形成される陰茎挿入部５４Ｂの幅Ｗ１，Ｗ２が、吸収性物品１Ａの前端Ｅ１側から後端Ｅ２側に向かうにつれて（即ち、腹側から股下側、背側に向かうにつれて）狭くなるように構成されていることが好ましい（Ｗ１＞Ｗ２）。このような構成は、陰茎挿入部５４Ｂ内部で尿が排泄された場合でも、尿は吸収性物品１Ｂの幅方向中央部に向かって収束される。従って、吸収性物品１Ｂの側縁Ｅ３，Ｅ４からの尿漏れを有効に防止することができる。また、陰茎が萎縮した人（男性高齢者等）のように、陰茎固定シート５０Ｂによって陰茎を十分に固定することができず、陰茎挿入部５４Ｂの内部で陰茎が遊動し易い着用者に対して好適に用いることができる。
【００６４】
本発明においては、図２Ａに示すように、複数の陰茎固定シート５０Ｂの最後端における陰茎挿入部５４Ｂの幅Ｗ２（即ち、陰茎挿入部５４Ｂの出口幅）が、複数の陰茎固定シート５０Ｂの最前端における陰茎挿入部５４Ｂの幅Ｗ１（即ち、陰茎挿入部５４Ｂの入口幅）よりも狭くなっていればよい。狭さの程度については特に限定されず、複数の陰茎固定シート５０Ｂの最前端における陰茎挿入部５４Ｂの幅Ｗ１に対し、複数の陰茎固定シート５０Ｂの最後端における陰茎挿入部５４Ｂの幅Ｗ２が３０〜８０％の幅となっていることが好ましい。
【００６５】
３０％未満とすると、幅Ｗ２が狭過ぎて、排尿時の尿勢によっては陰茎固定シート５０Ｂの後端側（陰茎挿入部５４Ｂの出口側）から尿を十分に排出させることができない場合がある。従って、陰茎固定シート５０Ｂの前端側（陰茎挿入部５４Ｂの入口側）から尿があふれてしまうおそれがある。８０％を超えると幅Ｗ２が広過ぎて、陰茎固定シート５０Ｂの後端側（陰茎挿入部５４Ｂの出口側）で十分に尿を収束させることができない場合がある。また、後述のように吸収体の幅方向中央部において吸収性能が高い高吸収部を形成する構成を採用する場合に、高吸収部を幅狭く効率的に配置することができず、前記構成の効果を十分に発揮させることができないおそれがある。
【００６６】
複数の陰茎固定シートの最後端における陰茎挿入部の幅が、複数の陰茎固定シートの最前端における陰茎挿入部の幅よりも狭くなっている限り、陰茎挿入部の幅の変化の態様についても特に制限はない。例えば、陰茎挿入部の幅を、複数の陰茎固定シートの最前端から中途までは一定の幅を保ち、中途から連続的にその幅が狭くなり、複数の陰茎固定シートの最後端において最小幅に至るように構成してもよい。但し、図２Ａに示す吸収性物品１Ｂにおける陰茎挿入部５４Ｂの幅は、複数の陰茎固定シート５０Ｂの最前端における幅Ｗ１から徐々にその幅が狭くなり、中途から複数の陰茎固定シート５０Ｂの最後端に至るまでは一定の幅Ｗ２を保つように構成されている。
【００６７】
［２−３］吸収体：
以下、吸収体の構成のうち、本発明の吸収性物品に固有の構成について説明する。吸収体の一般的な構成については別項で述べる。
【００６８】
本発明の吸収性物品は、吸収体が、その幅方向中央部における、陰茎固定シートの下部に位置する部分から、吸収体の後端に向かって、吸収体の他の部分に比して吸収性能が高い高吸収部が形成されたものであることが好ましい。このような構成によれば、吸収性物品の幅方向中央部に多量の尿が収束された場合でもその尿を吸収体に十分に吸収させることができる。従って、尿の吸収が間に合わず漏れを生ずる事態を有効に防止することができる。また、吸収体全体の吸収性能を高く構成することも考えられるが、高い吸収性能を要求される尿の収束部のみに高吸収部を形成した方がＳＡＰ等の効率的な利用を図ることができ、生産コストの面でも有利である。
【００６９】
図２Ａにより説明すると、高吸収部は吸収体２２の幅方向中央部における、陰茎固定シート５０Ｂの下部に位置する部分から、吸収体２２の後端に向かって形成される。中でも、高吸収部の幅が陰茎挿入部５４Ｂの出口側の幅Ｗ２の５０〜１５０％の範囲であって、吸収体２２の陰茎固定シート５０Ｂ最前端（陰茎挿入部５４Ｂの入口）の直下に位置する部分を起点とし、吸収体２２全長の５０％長さの部分まで形成されていることが好ましい。
【００７０】
高吸収部の幅が陰茎挿入部の出口側の幅Ｗ２の５０％未満であると、収束された多量の尿を高吸収部で十分に吸収できず、高吸収部を形成したメリットを享受することができない場合がある。一方、高吸収部の幅が陰茎挿入部の出口側の幅Ｗ２の１５０％を超えると、吸収性物品の幅方向中央部に収束された尿に対して高吸収部の幅が広過ぎて、余分な高吸収部が多くなり非効率的である。
【００７１】
吸収体の陰茎固定シート前端（陰茎挿入部の入口）より吸収体の前端側、或いは吸収体全長の５０％長さを超える部分まで高吸収部が形成されていても、その部分に尿が接触することが少なく非効率的である。
【００７２】
高吸収部は、例えば、吸収体に含有させるＳＡＰの量を局部的に増加させることにより形成することができる。ＳＡＰの量を局部的に増加させる方法としては、例えば、吸収体の幅方向中心線を中心とした幅狭い領域のみに限定的にＳＡＰを散布することによって、その領域のＳＡＰ量を増加させる方法や、ＳＡＰ量を増加させたい領域に、予めＳＡＰを高密度に担持させたＳＡＰシート等の高吸収性を有するシートを配置する等の方法を挙げることができる。
【００７３】
本発明の吸収性物品は、図２Ａ〜図２Ｃに示す吸収性物品１Ｂのように、吸収体２２の幅方向中央部であって、かつ、陰茎固定シート５０Ｂの下部に位置する部分に陰茎収容用凹部６４が形成されたものが好ましい。このような形態は、凹部を形成しない場合と比較して、陰茎収容用凹部６４に陰茎が収まり易く、陰茎を下向き（吸収性物品の股下側、後端側）に固定し易い。従って、吸収性物品１Ｂの側縁Ｅ３，Ｅ４からの横漏れを有効に防止することができる点において好ましい。
【００７４】
この場合において、陰茎収容用凹部は陰茎固定シートの最前端に相当する部分から吸収体の前端側にはみ出すように形成してもよい。このような形態は、陰茎収容用凹部が陰茎固定シートの下部のみに形成された形態と比較すると、陰茎を陰茎固定シートの最前端から挿入する場合に、下向き（吸収性物品１Ｂの股下側、後端側）に固定された陰茎が陰茎固定シート５０Ｂによって圧迫され難い。従って、陰茎を下向きに固定した状態を保持し易い点で好ましい。
【００７５】
陰茎収容用凹部６４の深さは特に限定されないが、吸収体２２の全厚に対し２０〜７５％の深さであることが好ましい。２０％未満とすると、凹部が浅過ぎるため、陰茎固定シートによって陰茎が圧迫され易く、陰茎を下向きに固定した状態を保持し難くなる場合がある。７５％を超えると、陰茎収容用凹部６４直下の吸収体が薄くなり過ぎるため、その部分における吸収性能が低下し、吸収されなかった尿により陰茎にかぶれ等のスキントラブルが発生するおそれがある。より具体的には、吸収体２２の一般的な厚さが４〜２０ｍｍ程度であるので、陰茎収容用凹部６４の深さを１〜１５ｍｍとすることが好ましい。
【００７６】
陰茎収容用凹部６４の幅は、その前端から後端に至るまで一定の幅であってもよいが、図２Ａ〜図２Ｃに示す吸収性物品１Ｂのように、陰茎収容用凹部６４前端の幅Ｗ３よりも陰茎収容用凹部６４後端の幅Ｗ４の方が狭くなるように形成されていることが好ましい。この構成によれば、陰茎収容用凹部６４の幅を一定幅とした形態と比較して、排泄された尿が吸収性物品１Ｂの幅方向中央部に収束し易いことに加え、吸収性物品１Ｂの装着位置が若干左右にずれた場合でも陰茎が陰茎収容用凹部６４に収まり易い点で好ましい。
【００７７】
陰茎収容用凹部６４前端の幅Ｗ３に対する陰茎収容用凹部６４後端の幅Ｗ４の狭さの程度については特に限定されない。但し、幅Ｗ３に対し、幅Ｗ４が７０％以下の幅となっていることが好ましい。７０％を超えると、幅Ｗ３から幅Ｗ４への減少率が小さくなり、排泄された尿を吸収性物品１Ｂの幅方向中央部に収束させる効果が不十分となる場合がある。
【００７８】
本発明の吸収性物品は、吸収体の形状について特に制限はない。例えば、図１Ａに示す吸収体２２のように、略矩形状に形成されたものを例示することができる。また、図１Ａに示す吸収体２２のように、矩形の角部がＲカットされて曲線状に構成されていてもよい。
【００７９】
但し、本発明の吸収性物品は、図２Ａに示す吸収性物品１Ｂのように、吸収体２２が、吸収体２２前端及び吸収体２２後端の幅よりも、陰茎固定シート５０Ｂが配置された部分の幅が広くなるように構成されていることが好ましい。
【００８０】
前記のような形状は、横漏れがし難く、更には吸収性物品１Ｂの装着位置がずれ難いため着用感にも優れる。具体的には、吸収体２２前端側を幅狭く構成することで、吸収性物品１Ｂもその前端Ｅ１を幅狭く構成することが可能となる。このような形態は、吸収性物品１Ｂの前身頃２によって着用者の腹部が過剰に覆われることがなくなり、着用感が向上する。また、吸収性物品が尿パッドである場合、尿パッドの前端側が不必要に大きいと装着時にパッド前端側の角部が折れてしまうことも多い。そのような場合、尿パッドが折れた部分から尿漏れが起こったり、その部分が着用者の肌に当たって着用感が低下したりするおそれがある。吸収体２２の前端、ひいては吸収性物品１Ｂの前端Ｅ１を幅狭く構成すればそのような不具合が生じ難い。
【００８１】
更に、吸収性物品１Ｂが尿パッドである場合に、吸収体２２後端側を幅狭く構成することで、吸収性物品１Ｂもその後端Ｅ２側を幅狭く構成することが可能となる。このような形態では、着用者の股下に差し込まれる吸収性物品１Ｂの股下部４及び後身頃６の幅を狭く構成することができる。従って、吸収性物品１Ｂの股下部４及び後身頃６の両側縁が着用者の内腿に当たり難くなり、着用感が向上する。更に、吸収体２２の陰茎固定シート５０Ｂが配置された部分の幅を広く構成することで、幅狭い股下や臀溝が存在する背側と比較して平面的な形状の腹側に吸収性物品１Ｂを幅広く当接させることができるので着用者が動いても吸収性物品１Ｂの装着位置がずれ難いという効果を奏する。
【００８２】
前記の効果を考慮すると、吸収体２２の陰茎固定シート５０Ｂが配置された部分の幅に対し、吸収体２２前端の幅及び後端の幅がいずれも４０〜８０％の幅となっていることが好ましい。
【００８３】
なお、吸収体２２前端及び吸収体２２後端の幅よりも、陰茎固定シート５０Ｂが配置された部分の幅が広くなるように吸収体２２を構成した場合、吸収体２２前端の幅と吸収体２２後端の幅を同一幅とすると、吸収性物品１Ｂを連続生産する際の生産速度を高速化することができる点において好ましい。
【００８４】
なお、図２Ａに示す吸収性物品１Ｂのように、吸収体２２の陰茎固定シート５０Ｂが配置された部分のみならず、当該部分より吸収性物品１Ｂの後端Ｅ２側の部分も連続して幅広に構成することが好ましい。このような形態は、吸収体２２の陰茎固定シート５０Ｂが配置された部分のみを幅広に構成し、それより吸収体２２後端側の領域を幅狭く構成した形態と比較して、第１接合部５２Ｃ、第２接合部５２Ｄによって吸収性物品１Ｂの幅方向中央部に収束された尿を幅広い吸収体２２によって十分に吸収させることができ、漏れを生じ難くさせることができる点において好ましい。
【００８５】
［３］吸収性物品の他の構成部材：
本発明の吸収性物品は、図１Ａ〜図１Ｃに示す吸収性物品１Ａのように、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備えるものである。
【００８６】
［３−１］吸収体：
「吸収体」は、着用者の尿等を吸収し、保持するための部材であり、吸収性材料によって構成される。通常、吸収体はトップシートとバックシートの間に挟みこまれ、両シートと一体化された状態で用いられる。
【００８７】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００８８】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。この際、ＳＡＰはフラッフパルプのマット中に混在させるか、フラッフパルプのマットの層間に層状に配置して用いればよい。
【００８９】
［３−２］トップシート：
トップシートは、着用者の尿等を透過させる必要から、その少なくとも一部（全部又は一部）が液透過性材料により構成される。
【００９０】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００９１】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００９２】
トップシートは、「少なくとも一部」、具体的には、トップシートを平面的に見た場合に、少なくとも吸収体の表面近傍は液透過性材料により構成されていることが好ましい。
【００９３】
［３−３］バックシート：
バックシートは、吸収体の裏面（尿パッドの装着時において着用者の肌から遠い側に位置する面）を被覆するように配置されるシートである。バックシートは、着用者の尿が尿パッド外部に漏洩してしまうことを防止する必要から、液不透過性材料によって構成される。
【００９４】
バックシートの配置位置については特に制限はない。吸収体で吸収された尿の漏れを防止するという観点から、少なくとも吸収体の存在する部分にバックシートが配置されていることが好ましい。
【００９５】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００９６】
なお、バックシートの外表面側にカバーシートを貼り合わせてもよい。このカバーシートは、バックシートを補強し、バックシートの手触り（触感）を良好なものとするために用いられる。
【００９７】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００９８】
［３−４］立体ギャザー：
本発明の吸収性物品は、図３Ａ及び図３Ｂに示す吸収性物品１Ｃのように、撥水性シート３２からなり、吸収体２２の両側に配置された少なくとも一対の立体ギャザー２６（２６ａ，２６ｂ）を備えていることが好ましい。
【００９９】
立体ギャザーの構成は、従来の使い捨ておむつ、尿パッドに使用される構成を採用することができる。例えば、撥水性シート３２の層間に伸縮材（立体ギャザー伸縮材３６）を挟み込んで固定し、その立体ギャザー伸縮材３６の収縮力によってギャザー（襞）を形成したもの等を好適に用いることができる。撥水性シートは、カードエンボス、スパンボンド等の製法により製造された不織布であってもよいが、防水性の高いＳＭＳ、ＳＭＭＳ等の不織布シートが更に好ましい。
【０１００】
なお、立体ギャザーは、立体ギャザー用の撥水性シートを別途付設してもよいし、尿パッドを構成するシート材（例えば、バックシート）の一部によって形成してもよい。
【０１０１】
［３−５］各種伸縮材：
本発明の吸収性物品には、着用者の肌へのフィット性を向上させるために各種伸縮材を配置してもよい。
【０１０２】
例えば、図１Ａ〜図１Ｃに示す吸収性物品１Ａのように、吸収性物品が尿パッドである場合には、その両側縁部等に側縁伸縮材４８を配置してもよい。この伸縮材を配置することによって、尿パッドの両側縁部に伸縮性に富むギャザーを形成することができる。従って、尿パッドの両側縁部に隙間が形成され難くなり、いわゆる横漏れを効果的に防止することができる。
【０１０３】
また、本発明の吸収性物品が使い捨ておむつである場合は、脚周り伸縮材を配置し、ウエスト周り伸縮材を配置することが好ましい。
【０１０４】
脚周り開口部に沿って脚周り伸縮材を配置することによって、脚周り開口部に伸縮性に富むギャザー（レグギャザー）を形成することができる。また、ウエスト周り開口部に沿ってウエスト周り伸縮材を配置することによって、ウエスト開口部に伸縮性に富むギャザー（ウエストギャザー）を形成することができる。更に、パンツ型使い捨ておむつでは、ウエスト周り開口部と脚周り開口部との間の部分（即ち、着用者の腹周りに相当する部分）に腹周り伸縮材を配置することによって、着用者の腹周りに伸縮性に富むタミーギャザーを形成することができる。
【０１０５】
例えば、図３Ａ〜図３Ｄに示す吸収性物品１Ｃは、パンツ型使い捨ておむつであり、２枚の撥水性不織布シート（インナーシート１６ａ、アウターシート１６ｂ）を貼り合わせて外装シート１６を構成しており、インナーシート１６ａとアウターシート１６ｂの層間に各種伸縮材が挟みこまれて固定されている例である。この例では、おむつの脚周り開口部１２のカーブに沿って曲線的に脚周り伸縮材４０を配置し、おむつのウエスト周り開口部１０の開口端に沿って複数本のウエスト周り伸縮材４２を配置し、ウエスト周り開口部１０と脚周り開口部１２との間の部分（即ち、着用者の腹周りに相当する部分）に、着用者の腹周りを取り囲むように複数本の腹周り伸縮材４４を配置している。
【０１０６】
伸縮材については、ギャザーの収縮の程度等を勘案した上で、構成材料、その材料の伸長率、固定時の伸長状態等を決定すればよい。
【０１０７】
伸縮材としては、従来の使い捨ておむつや尿パッドで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【０１０８】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【０１０９】
前記のような伸縮材は、吸収性物品の他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【０１１０】
［４］適用対象：
なお、本発明の吸収性物品は、図１Ａ〜図１Ｄに示す吸収性物品１Ａのような尿パッド、図３Ａ〜図３Ｄに示す吸収性物品１Ｃのようなパンツ型使い捨ておむつの他、テープ型使い捨ておむつにも適用することができる。即ち、テープ型使い捨ておむつにおいて、トップシートに対して複数枚の陰茎固定シートを付設することで本発明の効果を享受することができる。
【０１１１】
「テープ型使い捨ておむつ」とは、吸収体と、トップシートと、バックシートとを備え、後身頃の左右の各側縁から延出するように配置された、前身頃と後身頃とを固定するための止着テープを更に備えた使い捨ておむつである。止着テープのファスニング部材としては、粘着ファスナーの他、メカニカルファスナー（面状ファスナー）等が用いられる。
【実施例】
【０１１２】
本発明の吸収性物品について、図面を参照しながら更に具体的に説明する。但し、本発明の吸収性物品は、その発明特定事項を備えた吸収性物品を全て包含するものであり、以下の実施例に限定されるものではない。
【０１１３】
〔実施例１〕
実施例１の尿パッドとして、図１Ａ〜図１Ｄに示す吸収性物品１Ａを作製した。この吸収性物品１Ａは、成人用の尿パッドであり、長さを４９０ｍｍ、幅を２１０ｍｍの略矩形状とした。吸収体は厚さ４ｍｍのものを用いた。
【０１１４】
吸収性物品１Ａには、陰茎固定シート５０Ａを付設した。陰茎固定シート５０Ａは、撥水性の不織布シートにより構成した。サイズは、幅１３０ｍｍ、長さ５０ｍｍの矩形状とした。また、陰茎固定シート５０Ａは、吸収性物品１Ａの前端Ｅ１から、６０ｍｍ離れた位置に、陰茎固定シート５０Ａの最前端が位置するように配置した。なお、陰茎固定シート５０Ａは、吸収性物品１Ａの吸収体２２配置部位の上部に配置した。
【０１１５】
陰茎固定シート５０Ａは、その両側縁部をホットメルト接着剤により、トップシート１８の表面に接合した。この際、各々の陰茎固定シート５０Ａは前端部及び後端部が、隣接する陰茎固定シート５０Ａと長さ１０ｍｍだけ重畳するように配置する構造を繰り返して、４枚の陰茎固定シート５０Ａを配置した。
【０１１６】
また、図１Ｃ及び図１Ｄに示すように、４枚の陰茎固定シート５０Ａは、前端部が隣接する一の陰茎固定シート５０Ａの後端部の上側に、後端部が隣接する他の陰茎固定シート５０Ａの前端部の下側に位置するように配置する構造を繰り返して配置した。
【０１１７】
なお、第１接合部５２Ａ、第２接合部５２Ｂは、各々を幅１０ｍｍの帯状に形成した。この際、第１接合部５２Ａと第２接合部５２Ｂとの間に形成される陰茎挿入部５４Ａの幅が１００ｍｍとなるように形成した。
【０１１８】
〔実施例２〕
実施例２の尿パッドとして、図２Ａ〜図２Ｄに示す吸収性物品１Ｂを作製した。この吸収性物品１Ｂは、成人用の尿パッドであり、長さを４９０ｍｍ、陰茎固定シート５０Ｂが配置された部分の幅を２９０ｍｍ、前端Ｅ１の幅を２１０ｍｍ、後端Ｅ２の幅を２１０ｍｍに形成した。吸収体は厚さ４ｍｍのものを用いた。
【０１１９】
吸収性物品１Ｂには、陰茎固定シート５０Ｂを付設した。陰茎固定シート５０Ｂは、撥水性の不織布シートにより構成した。サイズは、幅２００ｍｍ、長さ７０ｍｍの矩形状をベースとし、陰茎固定シート５０Ｂの後端における幅方向中央部が、陰茎固定シート５０Ｂの前端側に向かって円弧状に切り欠かれた形状のものとした。陰茎固定シート５０Ｂの幅方向中央部の長さは３０ｍｍとした。
【０１２０】
また、吸収性物品１Ｂの幅方向中心線上において、吸収体２２の前端と陰茎固定シート５０Ｂの最前端との間隔が３ｃｍ離れるように、陰茎固定シート５０Ｂを配置した。
【０１２１】
陰茎固定シート５０Ｂは、その両側縁部をホットメルト接着剤により、トップシート１８の表面に接合した。この際、陰茎固定シート５０Ｂの前端部及び後端部が、隣接する陰茎固定シート５０Ｂと長さ３０ｍｍだけ重畳するように配置する構造を繰り返して、４枚の陰茎固定シート５０Ｂを配置した。
【０１２２】
また、図２Ａ及び図２Ｄに示すように、４枚の陰茎固定シート５０Ｂは、前端部が隣接する一の陰茎固定シート５０Ｂの後端部の上側に、後端部が隣接する他の陰茎固定シート５０Ｂの前端部の下側に位置するように配置する構造を繰り返して配置した。
【０１２３】
第１接合部５２Ｃ及び第２接合部５２Ｄは、陰茎固定シート５０Ｂの前後方向に延びるように配置された、各４本の線状接合部５６ａ，５８ａ，６０ａ，６２ａ，５６ｂ，５８ｂ，６０ｂ，６２ｂから形成した。
【０１２４】
複数本の線状接合部５６ａ，５８ａ，６０ａ，６２ａ，５６ｂ，５８ｂ，６０ｂ，６２ｂは、全て幅１０ｍｍに形成し、５ｍｍ間隔で各４本の線状接合部を配置した。そして、陰茎固定シート５０Ｂの幅方向中央側に配置された線状接合部５６ａ，５６ｂは長さ４０ｍｍ、５８ａ，５８ｂは長さ１２０ｍｍ、陰茎固定シート５０Ｂの側縁側に配置された線状接合部６０ａ，６２ａ，６０ｂ，６２ｂは長さ１９０ｍｍに形成した。
【０１２５】
これにより、第１接合部５２Ｃと第２接合部５２Ｄとの間に形成される陰茎挿入部５４Ｂの幅Ｗ１，Ｗ２が、吸収性物品１Ｂの前端Ｅ１側から後端Ｅ２側に向かうにつれて狭くなるように構成した。陰茎固定シート５０Ｂの前端における陰茎挿入部５４Ｂの幅Ｗ１は１４０ｍｍ、陰茎固定シート５０Ｂの後端における陰茎挿入部５４Ｂの幅Ｗ２は８０ｍｍであり、幅Ｗ１に対する幅Ｗ２の比率は、５７％の幅となっている。
【０１２６】
吸収性物品１Ｂには、吸収体２２の幅方向中央部における、陰茎固定シート５０Ｂの下部に位置する部分に、陰茎収容用凹部６４を形成した。具体的には、陰茎固定シート５０Ｂの最前端から１５ｍｍだけ吸収体後端寄りの部分を起点とし、最後端に位置する陰茎固定シート５０Ｂの切り欠き部から吸収体後端側に３０ｍｍだけ、はみ出すように形成した。
【０１２７】
陰茎収容用凹部６４の深さは、吸収体２２の全厚（４ｍｍ）に対し５０％の深さ（２ｍｍ）とした。陰茎収容用凹部６４の幅は、陰茎収容用凹部６４前端の幅Ｗ３を８０ｍｍ、陰茎収容用凹部６４後端の幅Ｗ４を４０ｍｍとし、幅Ｗ３より幅Ｗ４の方が狭くなるように形成した。即ち、幅Ｗ３に対し、幅Ｗ４が５０％の幅となるように形成した。
【０１２８】
吸収性物品１Ｂは、吸収体２２が、吸収体２２前端及び吸収体２２後端の幅よりも、陰茎固定シート５０Ｂが配置された部分の幅が広くなるように構成した。具体的には、吸収体２２の陰茎固定シート５０Ｂが配置された部分の幅を２３０ｍｍ、吸収体２２前端の幅を１５０ｍｍ、吸収体２２後端の幅を１５０ｍｍとした。即ち、吸収体２２の陰茎固定シート５０Ｂが配置された部分の幅に対し、吸収体２２前端の幅が６５％の幅、吸収体２２後端の幅が６５％の幅となるように構成した。なお、吸収性物品１Ｂにおいては、陰茎固定シート５０Ｂが配置された部分の幅が最大幅であり、この最大幅の部分が長さ２００ｍｍ分だけ存在するように吸収体２２を構成した。
【０１２９】
〔実施例３〕
実施例３の吸収性物品として、パンツ型使い捨ておむつを作製した。具体的な構造は、図３Ａ〜図３Ｄに示す吸収性物品１Ｃの構造とした。この吸収性物品１Ｃは、成人用Ｍサイズのものであり、前後方向長さを７８０ｍｍ、後身頃６の幅（側縁６ａ，６ｂ間の長さ）を５８０ｍｍとした。吸収体は厚さ４ｍｍのものを用いた。
【０１３０】
吸収性物品１Ｃには、陰茎固定シート５０Ｃを付設した。陰茎固定シート５０Ｃは、撥水性の不織布シートにより構成した。サイズは、幅１６０ｍｍ、長さ３０ｍｍの矩形状とした。また、陰茎固定シート５０Ｃは、吸収性本体１４の前端から、３０ｍｍ離れた位置に、陰茎固定シート５０Ｃの最前端が位置するように配置した。なお、陰茎固定シート５０Ｃは、吸収性物品１Ｃの吸収体２２配置部位の上部に配置した。
【０１３１】
陰茎固定シート５０Ｃは、その両側縁部をホットメルト接着剤により、トップシート１８の表面に接合した。より具体的には、立体ギャザーを構成する撥水性シート３２で側縁を包み込むようにしてトップシート１８の表面に接合した。この際、陰茎固定シート５０Ｃの前端部及び後端部が、隣接する陰茎固定シート５０Ｃと長さ１０ｍｍだけ重畳するように配置する構造を繰り返して、４枚の陰茎固定シート５０Ｃを配置した。
【０１３２】
また、図３Ａに示すように、４枚の陰茎固定シート５０Ｃは、前端部が隣接する一の陰茎固定シート５０Ｃの後端部の上側に、後端部が隣接する他の陰茎固定シート５０Ｃの前端部の下側に位置するように配置する構造を繰り返して配置した。陰茎挿入部５４Ｃの幅は１３０ｍｍとなるように構成した。
【産業上の利用可能性】
【０１３３】
本発明の吸収性物品は、男性用の吸収性物品、具体的には尿パッド、パンツ型使い捨ておむつ又はテープ型使い捨ておむつ等として利用することができる。また、陰茎が萎縮した男性高齢者用の尿パッドとしても好適に用いることができる。
【符号の説明】
【０１３４】
１Ａ，１Ｂ，１Ｃ，１Ｄ，１Ｅ：吸収性物品、２：前身頃、４：股下部、６：後身頃、１０：ウエスト周り開口部、１２，１２ａ，１２ｂ：脚周り開口部、１６：外装シート、１６ａ：インナーシート、１６ｂ：アウターシート、１８：トップシート、２０：バックシート、２２：吸収体、２６，２６ａ，２６ｂ：立体ギャザー、３２：撥水性シート、３６：立体ギャザー伸縮材、４０：脚周り伸縮材、４２：ウエスト周り伸縮材、４４：腹周り伸縮材、４８：側縁伸縮材、５０Ａ，５０Ｂ，５０Ｃ，５０Ｄ，５０Ｅ：陰茎固定シート、５２Ａ，５２Ｃ：第１接合部、５２Ｂ，５２Ｄ：第２接合部、５４Ａ，５４Ｂ，５４Ｃ，５４Ｄ，５４Ｅ：陰茎挿入部、５６ａ，５６ｂ，５８ａ，５８ｂ，６０ａ，６０ｂ，６２ａ，６２ｂ：線状接合部、６４：陰茎収容用凹部、６６：陰茎固定シート伸縮材、Ｅ１：前端、Ｅ２：後端、Ｅ３，Ｅ４：側縁、Ｗ１，Ｗ２，Ｗ３，Ｗ４：幅、Ｐ：陰茎、Ｓ：陰嚢、Ｕ：尿。
【図１Ａ】
2010179028.tif 000003
【図１Ｂ】
2010179028.tif 000004
【図１Ｃ】
2010179028.tif 000005
【図１Ｄ】
2010179028.tif 000006
【図２Ａ】
2010179028.tif 000007
【図２Ｂ】
2010179028.tif 000008
【図２Ｃ】
2010179028.tif 000009
【図２Ｄ】
2010179028.tif 000010
【図３Ａ】
2010179028.tif 000011
【図３Ｂ】
2010179028.tif 000012
【図３Ｃ】
2010179028.tif 000013
【図３Ｄ】
2010179028.tif 000014
【図４】
2010179028.tif 000015
【図５】
2010179028.tif 000016